(57)【特許請求の範囲】
【請求項１】
容器本体と、容器本体に重なり合う蓋と、容器本体に蓋を開閉可能に連結する蝶番部とを備え、容器本体と蓋の形状を対向する一対の短辺及び対向する一対の長辺から形成される細長形状とし、容器本体の内面に化粧料の収容部を有し、蓋の内面に細長形状の鏡を蓋の形状と同方向に揃えて設けてある化粧料容器において、
蓋と容器本体の間に挟まれる連結枠を備え、
連結枠は、容器本体及び蓋の各外周部に重なり合うものであり、
蝶番部は、連結枠と容器本体を開閉可能に連結する第１の蝶番部と、連結枠と蓋を開閉可能に連結する第２の蝶番部とを備え、
細長形状を形成する一対の短辺と一対の長辺における片方の対の一辺部に第１の蝶番部を設けると共に、他方の対の一辺部に第２の蝶番部を設けることを特徴とする化粧料容器。
【請求項２】
請求項１記載の化粧料容器において、
容器本体と連結枠と蓋との三者関係についての係合及び係合の解除を可能とするロック部を備え、
ロック部は、第１のロック部と、第２のロック部とを備え、
第１のロック部は、容器本体と連結枠との二者関係についての係合及び係合の解除を可能とするものであり、
第２のロック部は、連結枠と蓋との二者関係についての係合及び係合の解除を可能するものであることを特徴とする化粧料容器。
【請求項３】
請求項２記載の化粧料容器において、
第１の蝶番部を設けてある一辺部とは対向する辺部に第１のロック部を設けると共に、第２の蝶番部を設けてある一辺部とは対向する辺部に第２のロック部に設けることを特徴とする化粧料容器。
【請求項４】
請求項１、２又は３記載の化粧料容器において、
連結枠は蓋の外周部と鏡の短辺部に重なり合うものであり、
第１の蝶番部を細長形状の短辺部に設けると共に、第２の蝶番部を細長形状の長辺部に設け、
第１の蝶番部を中心にして蓋を連結枠と一緒に開けた場合に鏡が縦向きになると共に、鏡の短辺部が連結枠によって視認不能になり、
第２の蝶番部を中心にして蓋のみを開けた場合に鏡が横向きになると共に、鏡の全面が視認可能になることを特徴とする化粧料容器。
【発明の詳細な説明】
【技術分野】
【０００１】
本発明は、蓋の内面側に鏡を備える化粧料容器に関する。特に、化粧料容器の蓋の開閉に関する。
【背景技術】
【０００２】
化粧料容器とは、粉のおしろいを携帯しやすいように固めて形成し、その固めたもの（ファンデーション）を薄い容器に収納したものである。一般に、化粧用コンパクト、コンパクト容器、コンパクトなどと呼ばれている。また、化粧料容器には、ファンデーションを塗布する化粧用パフ、アイライナー等の化粧具が収容されているものも含まれる。
【０００３】
一般的な化粧料容器としては、外形を矩形とし、容器本体と蓋を蝶番部によって開閉可能に連結してあるものが知られている。このような化粧料容器において、矩形の蓋の内面側に同様の矩形の鏡を、向きを揃えて設けてある構造のものがある。
【０００４】
ところが、上述した化粧料容器の蓋を開くと、鏡は縦長（縦向き）か、横長（横向き）のいずれかとなる。つまり、蝶番部を矩形の蓋及び容器本体の短辺側に設けてある場合には、蓋を開くと、鏡が縦向きになる。他方、蝶番部をこれらの長辺側に設けてある場合には、蓋を開くと、鏡が横向きになる。縦向きの鏡には顔を縦方向に映しやすく、横向きの鏡には顔を横方向に（特に両目を）写しやすいという性質がある。このような性質があるせいか、蓋を開くと、鏡が縦向きとなる縦開きタイプと、鏡が横向きとなる横開きタイプとが、化粧料容器には存在する。そこで本発明者は、蓋を縦開きにも横開きにもできる化粧料容器の開発に着手した。
【０００５】
ところで、一つの化粧料容器でありながら、鏡（蓋）を縦向き、横向きのいずれにも変えられるようにしたものが特許出願されている（特許文献１）。
【０００６】
特許文献１の化粧料容器は、蝶番部によって連結してあるものが容器本体（ベース）と蓋ではなく、容器本体と支持体である。支持体という、容器本体と蓋以外の別の構成部品が、設けられている。より詳しく言えば、これは、容器本体と支持体とを蝶番部によって開閉可能に連結し、支持体の内面に蓋を回転可能に連結してあるものである。従って、蓋を開ける操作を行うと、容器本体に対して支持体が蝶番部を中心にして開き、その支持体と一緒に蓋が開くことになる。この後に、必要であれば、蓋を回して鏡の向きを変えることができる
【先行技術文献】
【特許文献】
【０００７】
【特許文献１】特開２００８−２８９８９８
【発明の概要】
【発明が解決しようとする課題】
【０００８】
しかしながら、上述した特許文献１の化粧料容器は縦開きタイプである。従って、蓋が閉まった状態から、すぐに鏡を横向きにして使用したい場合であっても、まず蓋を開く、次に蓋を回すという、蓋に対する操作が２回必要なものである。つまり、必ず、鏡を縦向きにした状態を経由しなければならない。また、その反対に鏡を横向きにした状態から蓋を閉めるには、同様に２回の操作が必要である。
【０００９】
本発明はこのような実情に基づいて創作されたものであり、その目的は、蓋が閉まった状態から一回の操作で蓋を縦開き（鏡を縦向き）、横開き（横向き）の何れにもできるようにすることである。
【課題を解決するための手段】
【００１０】
本発明は、容器本体と、容器本体に重なり合う蓋と、容器本体に蓋を開閉可能に連結する蝶番部とを備え、容器本体と蓋の形状を対向する一対の短辺及び対向する一対の長辺から形成される細長形状とし、容器本体の内面に化粧料の収容部を有し、蓋の内面に細長形状の鏡を蓋の形状と同方向に揃えて設けてある化粧料容器を前提とする。
【００１１】
そして、請求項１の発明は、蓋と容器本体の間に挟まれる連結枠を備え、連結枠は、容器本体及び蓋の各外周部に重なり合うものであり、蝶番部は、連結枠と容器本体を開閉可能に連結する第１の蝶番部と、連結枠と蓋を開閉可能に連結する第２の蝶番部とを備え、細長形状を形成する一対の短辺と一対の長辺における片方の対の一辺部に第１の蝶番部を設けると共に、他方の対の一辺部に第２の蝶番部を設けることを特徴とする。
【００１２】
従って、連結枠と蓋に第１の蝶番部を、連結枠と蓋第２の蝶番部をそれぞれ分けて設け、その上、第１、第２の蝶番部を細長形状の長辺部と短辺部の一方と他方に分けて設けてあることになる。
【００１３】
そして、第２の蝶番部が長辺部に設けてある場合には、蓋のみを開けば、第２の蝶番部を中心にして蓋が回って横開きする。この場合、第１の蝶番部は短辺部に設けてあるので、蓋と連結枠を一緒に開けば、第１の蝶番部を中心にして連結枠と一緒に蓋が回って縦開きする。
【００１４】
一方、第２の蝶番部が短辺部に設けてある場合は、蓋のみを開けば、蓋が縦開きする。この場合、蓋と連結枠を一緒に開けば、連結枠と一緒に蓋が横開きする。
【００１５】
また、容器本体と連結枠と蓋との三者関係についての開閉を不能・可能にするロック部を設けるか否かは問わないが、次のようにすることが望ましい。即ち、請求項２の発明のように、請求項１記載の化粧料容器において、容器本体と連結枠と蓋との三者関係についての係合及び係合の解除を可能とするロック部を備え、ロック部は、第１のロック部と、第２のロック部とを備え、第１のロック部は、容器本体と連結枠との二者関係についての係合及び係合の解除を可能とするものであり、第２のロック部は、連結枠と蓋との二者関係についての係合及び係合の解除を可能するものである。
【００１６】
従って、第１、第２のロック部がいずれも係合状態であれば、蓋と連結枠と容器本体が重なり合った状態、つまり、蓋が閉まった状態が保たれる。第１のロック部が係合の解除状態で、且つ第２のロック部が係合状態であれば、容器本体に対して連結枠と一体化した蓋を開くことができる。逆に、第２のロック部が係合の解除状態で、且つ第１のロック部が係合状態であれば、連結枠と一体化した容器本体に対して蓋のみを開くことができる。
【００１７】
第１、第２のロック部は、細長形状の同じ一辺部に設けても良いが、操作感を考慮すると、次のようにすることが望ましい。即ち、請求項３の発明のように、請求項２記載の化粧料容器において、第１の蝶番部を設けてある一辺部とは対向する辺部に第１のロック部を設けると共に、第２の蝶番部を設けてある一辺部とは対向する辺部に第２のロック部に設けることである。
【００１８】
従って、第１のロック部を操作して係合を解除すれば、対向する第１の蝶番部を中心にして蓋が開くようになる。また、第２のロック部を操作して係合を解除すれば、対向する第２の蝶番部を中心にして蓋が開くようになる。つまり、操作した第１又は第２のロック部とは、対向する側の蝶番部を中心にして、蓋が開くようになる。
【００１９】
第１、第２の蝶番部は、細長形状の長辺部と短辺部に分けて設けてあれば良いが、鏡を横向きにして広く使用したい場合には、次のようにすることが望ましい。即ち、請求項４の発明のように、請求項１、２又は３記載の化粧料容器において、連結枠は蓋の外周部と鏡の短辺部に重なり合うものであり、第１の蝶番部を細長形状の短辺部に設けると共に、第２の蝶番部を細長形状の長辺部に設け、第１の蝶番部を中心にして蓋を連結枠と一緒に開けた場合に鏡が縦向きになると共に、鏡の短辺部が連結枠によって視認不能になり、第２の蝶番部を中心にして蓋のみを開けた場合に鏡が横向きになると共に、鏡の全面が視認可能になることである。
【００２０】
従って、蓋のみが開く場合（鏡が横向きになる場合）には、鏡の全面を視認することができる。また、蓋を枠と一緒に開く場合（鏡が縦向きになる場合）には、蓋の内面側に連結枠が配置され、連結枠が鏡の短辺部に重なり合い、鏡の短辺部が視認不能となる。
【発明の効果】
【００２１】
請求項１の発明によれば、蓋のみを開けば、第２の蝶番部を中心にして蓋が開き、蓋と連結枠を一緒に開けば、第１の蝶番部を中心にして蓋が開くので、閉まった蓋に対する１回の操作によって蓋を縦開き（鏡を縦向き）又は横開き（横向き）にすることができる。逆に、蓋に対する１回の操作によって、蓋を閉じることもできる。
【００２２】
請求項２の発明によれば、第１のロック部と第２のロック部の係合によって蓋が閉まっている状況を実現できる。そして、その状況下において、第１のロック部と第２のロック部の一方のみを操作すれば、他方のロック部によって連結枠が容器本体と蓋のいずれかに係合しているので、蓋を開閉する操作の際に連結枠が邪魔にならず、蓋の開閉操作が行いやすい。
【００２３】
請求項３の発明によれば、操作したロック部とは対向する辺部に設けられた第１又は第２の蝶番部を中心にして蓋を開けられるので、ロック部を操作した勢いで蓋を開けることができる、つまり、蓋を開け易いと言える。
【００２４】
請求項４の発明によれば、蓋のみを開いて鏡が横向きになる場合には、鏡の全面を視認することができ、その結果、鏡を横向きに広く使用できる。
【図面の簡単な説明】
【００２５】
【図１】本発明の化粧料容器を示す分解斜視図である。
【図２】蓋の横開き状態を示す斜視図である。
【図３】（イ）（ロ）図は、蓋の横開き状態を示す正面図、右側面図である。
【図４】蓋の縦開き状態を示す斜視図である。
【図５】（イ）（ロ）図は、蓋の縦開き状態を示す正面図、右側面図である。
【図６】（イ）（ロ）（ハ）図は、本発明の化粧料容器を示す正面図、Ａ−Ａ線断面図、Ｂ−Ｂ線断面図である。
【発明を実施するための形態】
【００２６】
図１には、本発明の化粧料容器が分解されて示されている。本発明の化粧料容器は、細長形状である。細長形状とは、対向する一対の短辺と一対の長辺とで形成される外形形状をいう。例えば、図示の例の矩形だけでなく、楕円形も含む。また、矩形には、角部が直角なものに限らずＲ状（外側に膨らむ円弧状）のもの、又は面取りしてあるものも含まれる。なお、以後の説明で、短辺部Ｓ、長辺部Ｌということがあるが、これらは、短辺の近傍部分、長辺の近傍部分という意味で用いる。
【００２７】
また、本発明の化粧料容器は、容器本体１、連結枠２及び蓋３を主として構成される。以下、各構成及び構成同士の関係について詳述する。
【００２８】
容器本体１は、細長形状の器であって、その外周部１１を除く内側の中央部１２を段差状に高く形成してある。この中央部１２には、凹んだ浅底の収容部１３が形成されている。収容部１３は、図示の例では２つ並んで区画して形成されており、そのうち１つは化粧料（ファンデーション）用、もう１つはパフ用である。
【００２９】
連結枠２は、容器本体１の外周部１１と同形状の矩形の枠であって、容器本体１の外周部１１に重なり合うものである。この重なり合った状態が図２、図３には示されている。図２、図３は、蓋３の横開き状態を示している。この状態では、連結枠２と容器本体１の中央部１２の表面は面一状である。また、連結枠２は、蓋３の外周部にも重なり合うものである。この重なり合う状態が図４、図５には示されている。図４、図５は、蓋３の縦開き状態を示している。この状態では、連結枠２は、鏡４の短辺部に重なり合っている。
【００３０】
蓋３は図２〜図５に示すように、容器本体１と同様の矩形の板状である蓋本体部３１と、蓋本体部３１の外周縁部から容器本体１側に突出する蓋鍔部３２を備えている。蓋本体部３１の内面には鏡４が取り付けられる。
【００３１】
容器本体１と連結枠２と蓋３は、図１に示すように、蝶番部５によって開閉可能に連結される。蝶番部５は、第１の蝶番部５ａと第２の蝶番部５ｂによって構成される。
【００３２】
第１の蝶番部５ａは、容器本体１と連結枠２を開閉可能に連結するもので、細長形状の対向する短辺部Ｓ、Ｓのうちの一辺部に設けられている。また、第１の蝶番部５ａは、第１の回転軸５１と、第１の回転軸５１を容器本体１側から支える容器側支持体５２と、連結枠２側から支える第１の枠側支持体５３とから構成される。そして、容器側支持体５２と第１の枠側支持体５３は、細長形状の対向する短辺部Ｓ、Ｓの一辺部（図中の左辺部）に沿って交互に設けられている。
【００３３】
図示の例では、容器側支持体５２は、２つであって、容器本体１の前記一辺部の幅方向における両側部に沿って連続して設けられている。より詳しく言えば、容器本体１は、その外周部１１のうち前記一辺部に相当する箇所の幅中央部に切欠部１４を備える形状である。従って、容器本体１は、切欠部１４の両側が長辺方向に突出した形態となっており、これら突出部分が容器側支持体５２となる。
【００３４】
また、第１の枠側支持体５３は、１つであって、連結枠２の前記一辺部の幅中央部に沿って連続して設けられている。より詳しく言えば、連結枠２の裏面には、容器本体１の切欠部１４に相当する箇所に第１の枠側支持体５３が下向に突出して形成されている。
【００３５】
これら容器側支持体５２と第１の枠側支持体５３にはその短辺方向の端面に軸穴５２ａ、５３ａが短辺方向に沿ってそれぞれ形成されている。容器側支持体５２と第１の枠側支持体５３の各軸穴５２ａ、５３ａに第１の回転軸５１（断面Ｃ字状のピン）をそれぞれ圧入することによって、容器本体１と連結枠２とが回転可能に連結される。つまり、第１の蝶番部５ａ（短辺方向に沿う第１の回転軸５１）を中心にして、容器本体１に対して連結枠２は相対的に回転可能に設けられている。
【００３６】
第２の蝶番部５ｂは、連結枠２と蓋３を開閉可能に連結するものである。第２の蝶番部５ｂも、第１の蝶番部５ａと同様の構成、つまり、第２の回転軸５４と、第２の回転軸５４を連結枠２側から支える第２の枠側支持体５５と、第２の回転軸５４を蓋３側から支える蓋側支持体５６とから構成される。但し、第２の蝶番部５ｂは、細長形状の対向する長辺部Ｌ、Ｌの一辺部に設けられている。この一辺部に対する第２の枠側支持体５５、蓋側支持体５６、第２の回転軸５４の設け方は、第１の蝶番部５ａのそれとほぼ同じである。異なるのは、第２の枠側支持体５５が連結枠２の表面側に上向きに突出して形成されている点である。その結果、第２の蝶番部５ｂ（長辺方向に沿う第２の回転軸５４）を中心にして、連結枠２に対して蓋３は、相対的に回転可能に設けられている。
【００３７】
容器本体１と連結枠２と蓋３の三者関係については、ロック部６によって係合及び係合の解除が可能になっている。ロック部６は、第１のロック部６ａと第２のロック部６ｂによって構成される。図６には、第１、第２のロック部６ａ、６ｂの構成が断面で示されている。
【００３８】
図６（ロ）を中心にしながら、他の図面を参照して、第１のロック部６ａを説明する。第１のロック部６ａは、容器本体１と連結枠２との二者関係についての係合及び係合の解除を可能とするものである。第１のロック部６ａは、短辺部Ｓであって第１の蝶番部５ａとは対向する一辺部に、しかも幅中央部に設けられている。第１のロック部６ａは、押釦式であって、第１の係合爪６１と、第１の係合爪６１の先部が係合する（引っ掛かる）第１の被係合部６２と、第１の係合爪６１と第１の被係合部６２との係合を解除する第１の押釦６３を主として構成されている。以下、各構成について詳述する。
【００３９】
第１の係合爪６１は、連結枠２の裏面側から垂下し、その後、内側に屈曲して形成されている。この第１の係合爪６１に対応する部分及びその両側部分であって、容器本体１の表面側の外周部１１には、第１の格納溝６４が形成されている。第１の格納溝６４は、上面及び外面側（図６（ロ）の右面側）に開口している。
【００４０】
第１の被係合部６２は、第１の格納溝６４の奥面であって短辺幅中央部の上部から右方に突出している。つまり、第１の被係合部６２は、突出片である。
【００４１】
第１の押釦６３は、第１の格納溝６４の中に奥側（左側）に押し込み可能に収容される。このため、第１の押釦６３は、左右方向の全長を第１の格納溝６４の奥行き長よりも短く形成してある。この短さが押し込み可能なストロークを確保する。
【００４２】
また、第１の押釦６３は、断面コ字状であり、断面コ字の上片は第１の係合爪６１に相当する部分を切除してある。この上片を移動可能に案内する傾斜片６５が、第１の格納溝６４であって第１の被係合部６２の両側に、右肩下がりとなる状態で形成されている。第１の押釦６３の底片の先部には、下向のフック部６３ａ（図１参照）が設けられている。このフック部６３ａに係合可能な突起部（図示省略）が、第１の格納溝６４の底であって手前側の端部から上方に突出している。この突起部にフック部６３ａが係合することによって、第１の押釦６３は第１の格納溝６４から脱落不能に保持される。また、第１の格納溝６４の底面には外面側（右側）に向かって僅かに低くなる傾斜がつけてある。このため第１の押釦６３は、外面側に押し付けられている。
【００４３】
上述した第１のロック部６ａは、連結枠２と容器本体１とが重なり合う状態では、第１の係合爪６１と第１の被係合部６２とが係合し、第１の押釦６３が第１の格納溝６４の底面の傾斜によって外側に押し付けられている。押し付けに逆らって第１の押釦６３を奥側に押すと、傾斜片６５の上を第１の押釦６３の上片が移動して連結枠２を上方に押し込み、第１の係合爪６１と第１の被係合部６２との係合が解除される。
【００４４】
図６（ハ）を中心にしながら、他の図面を参照して、第２のロック部６ｂを説明する。第２のロック部６ｂは、連結枠２と蓋３との二者関係についての係合及び係合の解除を可能するものである。第２のロック部６ｂは、長辺部Ｌであって第２の蝶番部５ｂとは対向する一辺部に設けられている。第２のロック部６ｂも押釦式であって、第２の係合爪７１と、第２の係合爪７１の先部が引っ掛かる第２の被係合部７２と、第２の係合爪７１と第２の被係合部７２との係合を解除する第２の押釦７３を主として構成されている。以下、各構成について、第１のロック部６ａとの相違点を中心にして詳述する。
【００４５】
第２の係合爪７１は、蓋３の蓋本体部３１の裏面側（内面側）に形成されている。図示の例では、第２の係合爪７１は２つであって、長辺方向に沿って間隔をあけて設けられている。これら第２の係合爪７１に対応する部分およびその両側部分であって、容器本体１の表面側の外周部１１には、第２の格納溝７４が形成されている。
【００４６】
第２の被係合部７２は、第１の被係合部６２とは異なって、連結枠２に形成されている。より詳しく言えば、連結枠２には第２の係合爪７１の先部を出入り可能にする開口部２１が上下に貫通して形成されている。開口部２１は長辺方向に間隔をあけて２つ形成されている。そして、これら開口部２１の内側を包囲する内片が第２の被係合部７２となる。また、両開口部２１の近傍においては、連結枠２と容器本体１が凹部１５と凸部２２によって浅く嵌り合っている。図示の例では、凸部２２が連結枠２の内周面に、凹部１５が容器本体１の外周面（第２の格納溝７４の奥面の上部）にそれぞれ形成されている。前述した第１のロック部６ａを解除して、蓋３を連結枠２と一緒に開くと、凸部２２と凹部１５の浅い嵌合は解除される。
【００４７】
第２の押釦７３は、第１の押釦６３と同様であって、第２の格納溝７４に収容されている。異なるのは、第２の押釦７３の上片が、連結枠２ではなく、第２の係合爪７１を押し上げることである。なお、第２の格納溝７４にも傾斜片７５が設けられている。
【００４８】
上述した第２のロック部６ｂは、蓋３、連結枠２及び容器本体１が重なり合う状態、つまり蓋３の閉まった状態では、第２の係合爪７１と第２の被係合部７２とが係合し、凸部２２と凹部１５が嵌り合い、第２の押釦７３が第２の格納溝７４の底面の傾斜によって手前側に押し付けられている。押し付けに逆らって第２の押釦７３を奥側に押すと、傾斜片７５に沿って第２の押釦７３の上片が移動して第２の係合爪７１を直に押し上げる。この押し上げによって第２の係合爪７１に係合している連結枠２も押し上げられそうになるが、第１のロック部６ａの係合及び凸部２２と凹部１５との嵌合によって第２の係合爪７１のみが押し上げられて、第２の係合爪７１と第２の被係合部７２との係合が解除される。
【００４９】
上述した化粧料容器の使用方法を蓋３が完全に閉じられた状態、つまり、第１のロック部６ａと第２のロック部６ｂが係合している状態を基準として、以下に説明する。
【００５０】
図２、図３に示すように、鏡４を横向きにして使用したい場合には、長辺部Ｌに設けられた第２のロック部６ｂの第２の押釦７３を押し、連結枠２と蓋３との係合を解除する。これによって、蓋３が横開き可能になる。このとき、第１のロック部６ａは係合状態である。つまり、連結枠２と容器本体１が係合している。従って、蓋３を押し上げるようにすると、第２の蝶番部５ｂを中心にして蓋３のみが回転し、蓋３が横開きする。このとき、鏡４も横向きになっている。
【００５１】
図４、図５に示すように、鏡４を縦向きにして使用したい場合には、短辺部Ｓに設けられた第１のロック部６ａの第１の押釦６３を押し、連結枠２と容器本体１との係合を解除する。これによって、蓋３が縦開き可能になる。このとき、第２のロック部６ｂは係合状態である。つまり、連結枠２と蓋３が係合している。従って、蓋３を押し上げるようにすると、第１の蝶番部５ａを中心にして蓋３が連結枠２と一体化したまま回転し、蓋３が縦開きする。このとき、鏡４も縦向きになっており、鏡４の表面側に連結枠２が配置されている。そして、連結枠２の短辺部Ｓが鏡４の短辺部に重なり合う関係にあることから、鏡４の使用面積（顔を映せる面積）が鏡４本来の面積よりも小さくなる。
【００５２】
横開き又は縦開きの蓋３を閉めれば、第２のロック部６ｂ又は第１のロック部６ａが係合し、蓋３の閉鎖状態が維持される。なお、第１、第２のロック部６ａ、６ｂの各押釦６３、７３がいずれも容器本体１に設けられていることから、図６に示すように蓋３を閉じた状態で平面視すると、各押釦６３、７３が蓋３の下に隠れた状態となり、体裁が良い。
【００５３】
本発明は上記実施形態に限定されない。例えば、第１の蝶番部５ａを長辺部Ｌに設け、第２の蝶番部５ｂを短辺部Ｓに設けても良い。この場合、蓋３を縦開きした場合に、蓋３のみが開き、蓋３を横開きしたときに、蓋３と連結枠２が一体化して開くことになる。
【００５４】
また、第１、第２のロック部６ａ、６ｂは、細長形状の長辺部Ｌと短辺部Ｓに分けて設けるものに限らず、長辺部Ｌだけ、又は短辺部Ｓだけに設けるものであっても良い。さらに、ロック部６は、押釦式でなく、スライド式等の他の操作方式を採用しても良い。しかも、第１のロック部６ａと第２のロック部６ｂに、異なる操作方式を採用しても良い。また、第１のロック部６ａと第２のロック部６ｂを、操作感の軽いものと、重いものに分けても良い。
【００５５】
尚、第２のロック部６ｂは、第２の押釦７３及び第２の被係合部７２を蓋３に設け、第２の係合爪７１を連結枠２に設けるものであっても良い。また、第２のロック部６ｂは、第２の押釦７３及び第２の被係合部７２を連結枠２に設け、第２の係合爪７１を蓋３に設けるものであっても良い。
【符号の説明】
【００５６】
１容器本体                            ２連結枠
３蓋                                  ４鏡
５蝶番部
５ａ第１の蝶番部                      ５ｂ第２の蝶番部
６ロック部
６ａ第１のロック部                    ６ｂ第２のロック部
Ｓ短辺部                              Ｌ長辺部
１１外周部                            １２中央部
１３収容部                            １４切欠部
１５凹部
２１開口部                            ２２凸部
３１蓋本体部                          ３２蓋鍔部
５１第１の回転軸
５２容器側支持体                      ５２ａ軸穴
５３第１の枠側支持体                  ５３ａ軸穴
５４第２の回転軸                      ５５第２の枠側支持体
５６蓋側支持体
６１第１の係合爪                      ６２第１の被係合部
６３第１の押釦                        ６３ａフック部
６４第１の格納溝                      ６５傾斜片
７１第２の係合爪                      ７２第２の被係合部
７３第２の押釦                        ７４第２の格納溝
７５傾斜片
【図１】
0005553692.tif 000002
【図２】
0005553692.tif 000003
【図３】
0005553692.tif 000004
【図４】
0005553692.tif 000005
【図５】
0005553692.tif 000006
【図６】
0005553692.tif 000007